(57)【要約】【課題】  良好な色再現性を有するデジタルカメラを提供する。【解決手段】  デジタルカメラは、カメラ１および２と、カメラ１からの第１ＵＶ信号を記憶するメモリ８とを備えたデジタルカメラにおいて、メモリ８に記憶された第１ＵＶ信号とカメラ２からの第２ＵＶ信号とに基づいて、カメラ２の色補正に係る特性を算出する計算部９と、計算部９によって算出された色補正に係る特性に基づいて第２ＵＶ信号を補正する補正部１１とをさらに備える。【選択図】  図１
2005184137.tif 000002
【特許請求の範囲】
【請求項１】
第１および第２カメラと、
前記第１カメラからの第１ＵＶ信号を記憶するメモリとを備えたデジタルカメラにおいて、
前記メモリに記憶された前記第１ＵＶ信号と前記第２カメラからの第２ＵＶ信号とに基づいて、前記第２カメラの色補正に係る特性を算出する計算部と、
前記計算部によって算出された前記色補正に係る特性に基づいて前記第２ＵＶ信号の色補正のためのパラメータを決定する補正部とをさらに備えることを特徴とするデジタルカメラ。
【請求項２】
前記第１および前記第２カメラは、ＲＧＢデジタル信号をそれぞれ出力する請求項１に記載のデジタルカメラ。
【請求項３】
前記第１カメラからのＲＧＢデジタル信号と前記第２カメラからのＲＧＢデジタル信号とのいずれかを排他的に出力するスイッチをさらに備える請求項２に記載のデジタルカメラ。
【請求項４】
前記スイッチから出力されたＲＧＢデジタル信号に基づいてＹ信号を生成するＹ信号処理部をさらに備える請求項３に記載のデジタルカメラ。
【請求項５】
前記スイッチから出力されたＲＧＢデジタル信号に基づいて、前記第１ＵＶ信号と前記第２ＵＶ信号とのいずれかを生成するＣ信号処理部をさらに備える請求項３に記載のデジタルカメラ。
【請求項６】
前記スイッチから出力されたＲＧＢデジタル信号に基づいてホワイトバランス係数を算出するホワイトバランス調整部をさらに備える請求項３に記載のデジタルカメラ。
【請求項７】
前記第１カメラから出力されたＲＧＢデジタル信号に基づいて第１Ｙ信号を生成する第１のＹ信号処理部と、
前記第２カメラから出力されたＲＧＢデジタル信号に基づいて第２Ｙ信号を生成する第２のＹ信号処理部と、
前記第１カメラから出力されたＲＧＢデジタル信号に基づいて前記第１ＵＶ信号を生成する第１のＣ信号処理部と、
前記第２カメラから出力されたＲＧＢデジタル信号に基づいて前記第２ＵＶ信号を生成する第２のＣ信号処理部と、
前記第１Ｙ信号および前記第１ＵＶ信号と前記第２Ｙ信号および前記第２ＵＶ信号とのいずれかを排他的に出力するスイッチをさらに備える請求項１に記載のデジタルカメラ。
【発明の詳細な説明】
【技術分野】
【０００１】
本発明は、携帯端末等において、２つ以上のカメラを有するデジタルカメラに関する。
【背景技術】
【０００２】
図６は、従来のデジタルカメラ９０の構成を示すブロック回路図である。デジタルカメラ９０は、カメラ１およびカメラ２を備えている。カメラ１は、撮像素子としてのＣＭＯＳセンサ１０１とＣＤＳ部１０２とＡＧＣ部１０３とＡＤ変換部１０４とを有しており、ＲＧＢデジタル信号をスイッチ３へ出力する。ＣＭＯＳセンサ１０１のカラーフィルタ配列は、図７に示す原色ベイヤー配列Ｃ９０とする。
【０００３】
カメラ２は、カメラ１と同様に、撮像素子としてのＣＭＯＳセンサ２０１とＣＤＳ部２０２とＡＧＣ部２０３とＡＤ変換部２０４とを有しており、ＲＧＢデジタル信号をスイッチ３へ出力する。ＣＭＯＳセンサ２０１のカラーフィルタ配列は、図７に示す原色ベイヤー配列Ｃ９０とする。
【０００４】
スイッチ３は、カメラ１からのＲＧＢデジタル信号とカメラ２からのＲＧＢデジタル信号とのいずれか一方を排他的にＹ信号処理部９４、Ｃ信号処理部９５およびホワイトバランス調整部６へ出力する。
【０００５】
図８は、Ｙ信号処理部９４の構成を示すブロック回路図である。Ｙ信号処理部９４はＲＧＢ−Ｙ変換部４０１において、下記の（式１）によりＲＧＢ信号をＹ信号Ｙ１に変換する。
【０００６】
Ｙ１＝ａ11Ｒ＋ａ12Ｇ＋ａ13Ｂ  （式１）
次に、信号Ｙ１は、オフセット調整部４０２において、下記の（式２）によりオフセット値Ｙoffが加算され、信号Ｙ２が出力される。
【０００７】
Ｙ２＝Ｙ１＋Ｙoff        （式２）
次に、信号Ｙ２は、ゲイン調整部４０３において、下記の（式３）によりゲインKyが乗算され、信号Ｙが出力される。
【０００８】
Ｙ＝Ｋｙ×Ｙ２           （式３）
同様に、Ｃ信号処理部９５の動作を、図９を用いて説明する。図９は、Ｃ信号処理部９５の構成を示すブロック回路図である。Ｃ信号処理部５はＲＧＢ−ＵＶ変換部５０１において、下記の（式４）によりＲＧＢ信号をＵ信号Ｕ１およびＶ信号Ｖ１に変換する。
【０００９】
Ｕ１＝ａ21Ｒ＋ａ22Ｇ＋ａ23Ｂ
Ｖ１＝ａ31Ｒ＋ａ32Ｇ＋ａ33Ｂ  （式４）
次に、Ｕ信号Ｕ１およびＶ信号Ｖ１は、マトリクス部５０２において、下記の（式５）により信号Ｕ２および信号Ｖ２に変換される。
【００１０】
Ｕ２＝ｂ11Ｕ１＋ｂ12Ｖ１
Ｖ２＝ｂ21Ｕ１＋ｂ22Ｖ１ （式５）
次に、信号Ｕ２および信号Ｖ２は、オフセット調整部５０３において、下記の（式６）によりＵオフセット値Uoff、Ｖオフセット値Ｖoffが加算され、信号U３および信号Ｖ３にそれぞれ変換される。
【００１１】
Ｕ３＝Ｕ２＋Ｕoff
Ｖ３＝Ｖ２＋Ｖoff        （式６）
次に、信号Ｕ３および信号Ｖ３は、ゲイン調整部５０４において、下記の（式７）によりＵゲインＫｕ、ＶゲインＫｖが乗算され、信号Ｕおよび信号Ｖに変換される。
【００１２】
Ｕ＝Ｋｕ×Ｕ３
Ｖ＝Ｋｖ×Ｖ３           （式７）
続いて、ホワイトバランス調整部６の動作を説明する。ホワイトバランス調整部６では、白色の信号が入力されたときにＲ、ＧおよびＢのそれぞれの値が等しくなるように制御される。具体的には、ホワイトバランス調整部６の入力信号をＲ、Ｇ、Ｂとしたとき、下記の（式８）に示す変数変換を行い、Ｒ’＝Ｇ＝Ｂ’となるような係数Ｋｒ、Ｋｂを各色温度に対して求める。
【００１３】
Ｒ’＝Ｋｒ×Ｒ
Ｂ’＝Ｋｂ×Ｂ           （式８）
求められた係数Ｋｒ、Ｋｂは、ＲＧＢ−Ｙ変換部４０１およびＲＧＢ−ＵＶ変換部５０１にフィードバックされ、ＹＵＶ変換前のＲ信号、Ｂ信号に乗算される。
【００１４】
このようにして（式２）、（式３）、（式５）、（式６）および（式７）によって決定したパラメータＹoff、Ｕoff、Ｖoff、Ｋｙ、Ｋｕ、Ｋｖ、ｂ11、ｂ12、ｂ21およびｂ22はメモリ８に格納され、制御部９７によってメモリ８への読み出しおよび書き込み動作と、Ｙ信号処理部９４およびＣ信号処理部９５への制御動作が行われる。
【特許文献１】特開２００１−３３９７３４号公報
【特許文献２】特開平１０−２８５６１０号公報
【特許文献３】特開平６−２９２２２４号公報
【発明の開示】
【発明が解決しようとする課題】
【００１５】
ところで、ＣＣＤおよびＣＭＯＳ等の撮像デバイスは、その分光特性が個々に異なるのが一般的である。したがって、第１のカメラ１と第２のカメラ２とを無調整にて撮像した場合、両者の色再現性が互いに異なるおそれがある。
【００１６】
この問題の解決手段として、第１のカメラ１および第２のカメラ２を用いて標準カラーチャートを撮像し、上記パラメータＹoff、Ｕoff、Ｖoff、Ｋｙ、Ｋｕ、Ｋｖ、ｂ11、ｂ12、ｂ21およびｂ22の値を第１のカメラ１と第２のカメラ２とのそれぞれで個別に設定する方法が考えられる。標準カラーチャートとしては、マクベスカラーチャート（Ｍａｃｂｅｔｈ  Ｃｏｌｏｒ  Ｃｈａｒｔ）等が用いられる。
【００１７】
しかしながら、このような調整作業は大変煩雑であり、第１のカメラ１と第２のカメラ２との色再現を合わせ込むことは、作業者の熟練度を要し、困難なものであった。
【００１８】
本発明の目的は、良好な色再現性を有するデジタルカメラを提供することにある。
【課題を解決するための手段】
【００１９】
本発明に係るデジタルカメラは、第１および第２カメラと、前記第１カメラからの第１ＵＶ信号を記憶するメモリとを備えたデジタルカメラにおいて、前記メモリに記憶された前記第１ＵＶ信号と前記第２カメラからの第２ＵＶ信号とに基づいて、前記第２カメラの色補正に係る特性を算出する計算部と、前記計算部によって算出された前記色補正に係る特性に基づいて前記第２ＵＶ信号の色補正のためのパラメータを決定する補正部とをさらに備えることを特徴とする。
【発明の効果】
【００２０】
本発明によれば、良好な色再現性を有するデジタルカメラを提供することができる。
【発明を実施するための最良の形態】
【００２１】
本実施の形態に係るデジタルカメラにおいては、メモリに記憶された第１ＵＶ信号と第２カメラからの第２ＵＶ信号とに基づいて、第２カメラの色補正に係る特性を算出する計算部と、計算部によって算出された色補正に係る特性に基づいて第２ＵＶ信号の色補正のためのパラメータを決定する補正部とが設けられている。このため、第２カメラの色特性を第１カメラの色特性に、煩雑な調整作業および作業者の熟練度を必要とすることなく容易に合わせることができる。その結果、第１カメラの色再現性と第２カメラの色再現性とが互いに等しいデジタルカメラを容易に得ることができる。
【００２２】
この実施の形態では、前記第１および前記第２カメラは、ＲＧＢデジタル信号をそれぞれ出力することが好ましい。
【００２３】
前記第１カメラからのＲＧＢデジタル信号と前記第２カメラからのＲＧＢデジタル信号とのいずれかを排他的に出力するスイッチをさらに備えることが好ましい。
【００２４】
前記スイッチから出力されたＲＧＢデジタル信号に基づいてＹ信号を生成するＹ信号処理部をさらに備えることが好ましい。
【００２５】
前記スイッチから出力されたＲＧＢデジタル信号に基づいて、前記第１ＵＶ信号と前記第２ＵＶ信号とのいずれかを生成するＣ信号処理部をさらに備えることが好ましい。
【００２６】
前記スイッチから出力されたＲＧＢデジタル信号に基づいてホワイトバランス係数を算出するホワイトバランス調整部をさらに備えることが好ましい。
【００２７】
前記第１カメラから出力されたＲＧＢデジタル信号に基づいて第１Ｙ信号を生成する第１のＹ信号処理部と、前記第２カメラから出力されたＲＧＢデジタル信号に基づいて第２Ｙ信号を生成する第２のＹ信号処理部と、前記第１カメラから出力されたＲＧＢデジタル信号に基づいて前記第１ＵＶ信号を生成する第１のＣ信号処理部と、前記第２カメラから出力されたＲＧＢデジタル信号に基づいて前記第２ＵＶ信号を生成する第２のＣ信号処理部と、前記第１Ｙ信号および前記第１ＵＶ信号と前記第２Ｙ信号および前記第２ＵＶ信号とのいずれかを排他的に出力するスイッチをさらに備えることが好ましい。
【００２８】
以下、図面を参照して本発明の実施の形態を説明する。
【００２９】
（実施の形態１）
図１は、実施の形態１に係るデジタルカメラ１００の構成を示すブロック回路図である。デジタルカメラ１００は、カメラ１およびカメラ２を備えている。カメラ１は、撮像素子としてのＣＭＯＳセンサ１０１とＣＤＳ部１０２とＡＧＣ部１０３とＡＤ変換部１０４とを有しており、ＲＧＢデジタル信号をスイッチ３へ出力する。ＣＭＯＳセンサ１０１のカラーフィルタ配列は、図２に示す原色ベイヤー配列Ｃ１とする。
【００３０】
カメラ２は、カメラ１と同様に、撮像素子としてのＣＭＯＳセンサ２０１とＣＤＳ部２０２とＡＧＣ部２０３とＡＤ変換部２０４とを有しており、ＲＧＢデジタル信号をスイッチ３へ出力する。ＣＭＯＳセンサ２０１のカラーフィルタ配列は、図２に示す原色ベイヤー配列Ｃ１とする。
【００３１】
スイッチ３は、カメラ１からのＲＧＢデジタル信号とカメラ２からのＲＧＢデジタル信号とのいずれか一方を排他的にＹ信号処理部４、Ｃ信号処理部５およびホワイトバランス調整部６へ出力する。
【００３２】
図３は、Ｙ信号処理部４の構成を示すブロック回路図である。Ｙ信号処理部４はＲＧＢ−Ｙ変換部４０１において、下記の（式１）によりＲＧＢ信号をＹ信号Ｙ１に変換する。
【００３３】
Ｙ１＝ａ11Ｒ＋ａ12Ｇ＋ａ13Ｂ  （式１）
次に、信号Ｙ１は、オフセット調整部４０２において、下記の（式２）によりオフセット値Ｙoffが加算され、信号Ｙ２が出力される。
【００３４】
Ｙ２＝Ｙ１＋Ｙoff        （式２）
次に、信号Ｙ２は、ゲイン調整部４０３において、下記の（式３）によりゲインKyが乗算され、信号Ｙが出力される。
【００３５】
Ｙ＝Ｋｙ×Ｙ２           （式３）
同様に、Ｃ信号処理部５の動作を、図４を用いて説明する。図４は、Ｃ信号処理部５の構成を示すブロック回路図である。Ｃ信号処理部５はＲＧＢ−ＵＶ変換部５０１において、下記の（式４）によりＲＧＢ信号をＵ信号Ｕ１およびＶ信号Ｖ１に変換する。
【００３６】
Ｕ１＝ａ21Ｒ＋ａ22Ｇ＋ａ23Ｂ
Ｖ１＝ａ31Ｒ＋ａ32Ｇ＋ａ33Ｂ  （式４）
次に、Ｕ信号Ｕ１およびＶ信号Ｖ１は、マトリクス部５０２において、下記の（式５）により信号Ｕ２および信号Ｖ２に変換される。
【００３７】
Ｕ２＝ｂ11Ｕ１＋ｂ12Ｖ１
Ｖ２＝ｂ21Ｕ１＋ｂ22Ｖ１ （式５）
次に、信号Ｕ２および信号Ｖ２は、オフセット調整部５０３において、下記の（式６）によりＵオフセット値Uoff、Ｖオフセット値Ｖoffが加算され、信号U３および信号Ｖ３にそれぞれ変換される。
【００３８】
Ｕ３＝Ｕ２＋Ｕoff
Ｖ３＝Ｖ２＋Ｖoff        （式６）
次に、信号Ｕ３および信号Ｖ３は、ゲイン調整部５０４において、下記の（式７）によりＵゲインＫｕ、ＶゲインＫｖが乗算され、信号Ｕおよび信号Ｖに変換される。
【００３９】
Ｕ＝Ｋｕ×Ｕ３
Ｖ＝Ｋｖ×Ｖ３           （式７）
続いて、ホワイトバランス調整部６の動作を説明する。ホワイトバランス調整部６では、白色の信号が入力されたときにＲ、ＧおよびＢのそれぞれの値が等しくなるように制御される。具体的には、ホワイトバランス調整部６の入力信号をＲ、Ｇ、Ｂとしたとき、下記の（式８）に示す変数変換を行い、Ｒ’＝Ｇ＝Ｂ’となるような係数Ｋｒ、Ｋｂを各色温度に対して求める。
【００４０】
Ｒ’＝Ｋｒ×Ｒ
Ｂ’＝Ｋｂ×Ｂ           （式８）
求められた係数Ｋｒ、Ｋｂは、ＲＧＢ−Ｙ変換部４０１およびＲＧＢ−ＵＶ変換部５０１にフィードバックされ、ＹＵＶ変換前のＲ信号、Ｂ信号に乗算される。
【００４１】
このようにして（式２）、（式３）、（式５）、（式６）および（式７）によって決定したＹoff、Ｕoff、Ｖoff、Ｋｙ、Ｋｕ、Ｋｖ、ｂ11、ｂ12、ｂ21およびｂ22はメモリ８に格納され、制御部７によってメモリ８への読み出しおよび書き込み動作と、Ｙ信号処理部４およびＣ信号処理部５への制御動作が行われる。
【００４２】
次に、標準カラーチャートを用いて、第１のカメラ１と第２のカメラ２との色再現を調整する方法を説明する。標準カラーチャートのＮ個の色を使って色合わせを行う。第１のカメラ１については、あらかじめ、色再現性を設定するための上記パラメータＹoff、Ｕoff、Ｖoff、Ｋｙ、Ｋｕ、Ｋｖ、ｂ11、ｂ12、ｂ21およびｂ22は取得してあり、メモリ８に格納されているものとする。
【００４３】
まず、第１のカメラ１で撮像した標準カラーチャートの１番目の色のＵＶ値をそれぞれＵ（１，１）、Ｖ（１，１）とし、２番目の色のＵＶ値をそれぞれＵ（1，2）、Ｖ（１，２）とし、Ｎ番目の色のＵＶ値をＵ（１，Ｎ）、Ｖ（１，Ｎ）とする。そして、Ｕ（１，１）からＵ（１，Ｎ）までのＮ個のＵ値と、Ｖ（１，１）からＶ（１，Ｎ）までのＮ個のＶ値とをメモリ１０に格納する。
【００４４】
次に、第２のカメラ２の調整方法を説明する。第２のカメラ２で撮像した標準カラーチャートの1番目の色のＵＶ値をそれぞれU（２，１）、Ｖ（２，１）とし、２番目の色のＵＶ値をそれぞれＵ（２，２）、Ｖ（２，２）とし、Ｎ番目の色のＵＶ値をＵ（２，Ｎ）、Ｖ（２，Ｎ）とする。そして、Ｕ（２，１）からＵ（２，Ｎ）までのＮ個のＵ値と、Ｖ（２，１）からＶ（２，Ｎ）までのＮ個のＶ値とをメモリ１０に格納する。
【００４５】
計算部９では、標準カラーチャートのＮ番目の色について、第１のカメラのＵＶ値と第２のカメラのＵＶ値との差分の２乗をΔ（Ｎ）とし、下記の（式９）に定める計算を行なう。
【００４６】
Δ（Ｎ）＝（Ｕ（１，Ｎ）−Ｕ（２，Ｎ））2＋（Ｖ（１，Ｎ）−Ｖ（２，Ｎ））2        （式９）
更に、１からＮまでのΔ（Ｎ）の総和をＡとし、下記の（式１０）に定める計算を行なう。
【００４７】
Ａ＝Δ（１）＋Δ（２）＋…＋Δ（Ｎ）    （式１０）
補正部１１では、上記（式１０）のＡの値が小さくなるように、第２のカメラ２の色補正のためのパラメータＹoff、Ｕoff、Ｖoff、Ｋｙ、Ｋｕ、Ｋｖ、ｂ11、ｂ12、ｂ21およびｂ22を適宜可変させ、可変させた上記パラメータを制御部７を介してＹ信号処理部４とＣ信号処理部５とへ供給する。このように、第１のカメラ１と第２のカメラ２との色合わせを容易に行うことができる。
【００４８】
以上のように本実施の形態によれば、メモリ８に記憶された第１カメラ１のＵＶ信号のＵＶ値と第２カメラ２からのＵＶ信号とに基づいて、第２カメラ２の色補正に係る特性を算出する計算部９と、計算部９によって算出された色補正に係る特性に基づいて第２カメラからのＵＶ信号の色補正のためのパラメータを決定する補正部１１とが設けられている。このため、第２カメラ２の色特性を第１カメラ１の色特性に、煩雑な調整作業および作業者の熟練度を必要とすることなく容易に合わせることができる。その結果、第１カメラ１の色再現性と第２カメラ２の色再現性とが互いに等しいデジタルカメラを容易に得ることができる。
【００４９】
（実施の形態２）
次に、本発明の実施の形態２を、図５を参照して説明する。図５は本発明の実施の形態２におけるデジタルカメラ１００Ａの構成を示している。図１を参照して前述した実施の形態１に係るデジタルカメラ１００の構成要素と同一の構成要素には同一の参照符号を付している。従って、これらの構成要素の詳細な説明は省略する。
【００５０】
カメラ１は、Ｙ信号処理部４ａ、Ｃ信号処理部５ａおよびホワイトバランス調整部６ａへＲＧＢデジタル信号を供給する。Ｙ信号処理部４ａは、カメラ１から供給されたＲＧＢデジタル信号に基づいて信号Ｙを生成し、スイッチ３Ａへ出力する。Ｃ信号処理部５ａは、カメラ１から供給されたＲＧＢデジタル信号に基づいて信号Ｕおよび信号Ｖを生成し、スイッチ３Ａへ出力する。
【００５１】
カメラ２は、Ｙ信号処理部４ｂ、Ｃ信号処理部５ｂおよびホワイトバランス調整部６ｂへＲＧＢデジタル信号を供給する。Ｙ信号処理部４ｂは、カメラ２から供給されたＲＧＢデジタル信号に基づいて信号Ｙを生成し、スイッチ３Ａへ出力する。Ｃ信号処理部５ｂは、カメラ２から供給されたＲＧＢデジタル信号に基づいて信号Ｕおよび信号Ｖを生成し、スイッチ３Ａへ出力する。
【００５２】
このように、第１のカメラ１および第２のカメラ２はＹ信号処理部とC信号処理部とをそれぞれ独立に所有している。そして、スイッチ３Ａは、第１のカメラ１からのＹＵＶ信号と、第２のカメラ２からのＹＵＶ信号とを排他的に選択して出力する。
【００５３】
次に、標準カラーチャートを用いて、第１のカメラ１と第２のカメラ２とを調整する方法を説明する。第１のカメラ１については、あらかじめ、色再現設定のための上記パラメータＹoff、Ｕoff、Ｖoff、Ｋｙ、Ｋｕ、Ｋｖ、ｂ11、ｂ12、ｂ21およびｂ22は取得してあり、メモリ８に格納されているものとする。
【００５４】
前述した実施の形態１と同様に、第２のカメラ２において標準カラーチャートを撮像し、上記（式９）および（式１０）を計算部９ｂが計算する。
【００５５】
補正部１１ｂでは、上記（式１０）のＡの値が小さくなるように、第２のカメラ２の色再現性を設定するためのパラメータＹoff、Ｕoff、Ｖoff、Ｋｙ、Ｋｕ、Ｋｖ、ｂ11、ｂ12、ｂ21およびｂ22を適宜可変させ、可変させた上記パラメータを制御部７ｂへ供給する。このように、第１のカメラ１と第２のカメラ２との色合わせを容易に行うことができる。
【００５６】
なお、本発明は上記実施例に限定されるものではなく、本発明の要旨を逸脱しない範囲で種々変形して実施できる。
【００５７】
例えば実施の形態２では、メモリ８に記憶された第１カメラ１のＵＶ信号のＵＶ値と第２カメラ２からのＵＶ信号とに基づいて、第２カメラ２の色補正に係る特性を計算部９ｂが算出し、計算部９ｂによって算出された色補正に係る特性に基づいて第２カメラからのＵＶ信号を補正部１１ｂが補正する例を示したが、本発明はこれに限定されない。メモリ８に記憶された第２カメラ２のＵＶ信号のＵＶ値と第１カメラ１からのＵＶ信号とに基づいて、第１カメラ１の色補正に係る特性を計算部９ａが算出し、計算部９ａによって算出された色補正に係る特性に基づいて第１カメラからのＵＶ信号を補正部１１ａが補正してもよい。
【００５８】
以上のように本実施の形態によれば、複数のカメラの色合わせを容易にし、良好な色再現性を得ることが出来る。
【産業上の利用可能性】
【００５９】
本発明は、携帯端末等において、２つ以上のカメラを有するデジタルカメラに適用することができる。
【図面の簡単な説明】
【００６０】
【図１】実施の形態１に係るデジタルカメラの構成を示すブロック回路図。
【図２】実施の形態１に係るデジタルカメラに設けられたＣＭＯＳセンサのカラーフィルタ配列を示す図
【図３】実施の形態１に係るデジタルカメラに設けられたＹ信号処理部の構成を示すブロック回路図
【図４】実施の形態１に係るデジタルカメラに設けられたＣ信号処理部の構成を示すブロック回路図
【図５】実施の形態２に係るデジタルカメラの構成を示すブロック回路図。
【図６】従来のデジタルカメラの構成を示すブロック回路図
【図７】従来のデジタルカメラに設けられたＣＭＯＳセンサのカラーフィルタ配列を示す図
【図８】従来のデジタルカメラに設けられたＹ信号処理部の構成を示すブロック回路図
【図９】従来のデジタルカメラに設けられたＣ信号処理部の構成を示すブロック回路図
【符号の説明】
【００６１】
１  カメラ
２  カメラ
７  制御部
８  メモリ
９  計算部
１０  メモリ
１１  補正部
１００  デジタルカメラ
【図１】
2005184137.tif 000003
【図２】
2005184137.tif 000004
【図３】
2005184137.tif 000005
【図４】
2005184137.tif 000006
【図５】
2005184137.tif 000007
【図６】
2005184137.tif 000008
【図７】
2005184137.tif 000009
【図８】
2005184137.tif 000010
【図９】
2005184137.tif 000011